(57)【要約】【課題】過去に用いた条件と同じ条件で特定の原稿に対して繰り返し所定処理を実行する際に、条件を入力する煩雑さを軽減できる画像形成装置を提供する。【解決手段】画像形成装置１００は、記憶部２０と、入力部３０と、読取部４０と、判定部１１と、処理部５０とを備える。記憶部２０は、複数の互いに異なる第１画像Ｄ１と、所定処理のための複数の条件Ｊ１とをそれぞれ関連付けて記憶する。入力部３０は、所定処理を実行するための実行指示がユーザーの操作に応じて入力される。読取部４０は、実行指示に従い、原稿から第２画像を読み取る。判定部１１は、第２画像と第１画像Ｄ１とが一致するか否かを判定する。処理部５０は、所定処理を実行する。第２画像と第１画像Ｄ１とが一致すると判定された場合、処理部５０は、第１画像Ｄ１と関連付けられている条件Ｊ１に従い所定処理を実行する。【選択図】図１
2020099029.tif 000002
【特許請求の範囲】
【請求項１】
複数の互いに異なる第１画像と、所定処理のための複数の条件とをそれぞれ関連付けて記憶する記憶部と、
前記所定処理を実行するための実行指示がユーザーの操作に応じて入力される入力部と、
前記実行指示に従い、原稿から第２画像を読み取る読取部と、
前記第２画像と前記第１画像とが一致するか否かを判定する判定部と、
前記所定処理を実行する処理部と
を備え、
前記第２画像と前記第１画像とが一致すると判定された場合、前記処理部は、前記第１画像と関連付けられている前記条件に従い前記所定処理を実行する、画像形成装置。
【請求項２】
前記入力部には、ユーザーを識別する識別情報が入力され、
前記記憶部は、前記識別情報と、前記複数の互いに異なる第１画像の各々と、前記複数の条件の各々とを関連付けて記憶し、
前記第２画像と前記第１画像とが一致すると判定された場合、前記処理部は、前記識別情報と前記第１画像とに関連付けられている前記条件に従い、前記所定処理を実行する、請求項１に記載の画像形成装置。
【請求項３】
表示部を更に備え、
前記第１画像と関連付けられている前記条件は、複数であり、
前記第２画像と前記第１画像とが一致すると判定された場合、
前記表示部は、前記第１画像と関連付けられている前記複数の条件を示す第１リストを表示し、
前記判定部は、前記第１リストから１つの条件を選択する第１選択指示が前記入力部に入力されたか否かを判定し、
前記処理部は、前記第１選択指示が前記入力部に入力されたと判定された場合、選択された前記条件に従い前記所定処理を実行する、請求項１又は請求項２に記載の画像形成装置。
【請求項４】
前記第１選択指示が前記入力部に入力されたと判定された場合、
前記表示部は、選択された前記条件の詳細を表示し、
前記判定部は、選択された前記条件を確定する第１確定指示が前記入力部に入力されたか否かを判定し、
前記処理部は、前記第１確定指示が前記入力部に入力されたと判定された場合、確定された前記条件に従い前記所定処理を実行する、請求項３に記載の画像形成装置。
【請求項５】
前記第１選択指示が前記入力部に入力されたと判定された場合、
前記表示部は、選択された前記条件の前記詳細を表示するとともに、前記条件と関連付けられている前記第１画像を表示する、請求項４に記載の画像形成装置。
【請求項６】
前記第１選択指示が前記入力部に入力されなかった場合、
前記判定部は、前記複数の条件のうちの少なくとも１つの条件を前記記憶部から削除する削除指示が前記入力部に入力されたか否かを判定し、
前記表示部は、前記削除指示が前記入力部に入力されたと判定された場合、前記第１画像と関連付けられている前記複数の条件を示す第２リストを表示し、
前記判定部は、前記第２リストから１つの条件を選択する第２選択指示が前記入力部に入力されたか否かを判定し、
前記表示部は、前記第２選択指示が前記入力部に入力されたと判定された場合、選択された前記条件の詳細を表示し、
前記判定部は、選択された前記条件を確定する第２確定指示が前記入力部に入力されたか否かを判定し、
前記記憶部は、前記第２確定指示が前記入力部に入力されたと判定された場合、確定された前記条件を削除する、請求項３に記載の画像形成装置。
【請求項７】
前記第２画像と前記第１画像とが一致しないと判定された場合、
前記判定部は、前記第２画像に対する前記所定処理のための条件が前記入力部に入力されたか否かを判定し、
前記処理部は、前記条件が前記入力部に入力されたと判定された場合、前記条件に従い前記所定処理を実行する、請求項１から請求項６のいずれか１項に記載の画像形成装置。
【請求項８】
前記第２画像を仮登録又は本登録する登録部と、
カウンターと
を更に備え、
前記登録部は、前記第２画像と前記条件とを互いに関連付けて仮登録し、
前記カウンターは、前記読取部によって原稿から前記第２画像が読み取られた回数を計数し、
前記判定部は、前記回数が閾値以上か否かを判定し、
前記登録部は、前記回数が閾値以上である場合、互いに関連付けられて仮登録されている前記第２画像と前記条件とを本登録し、
前記記憶部は、本登録された前記第２画像と前記条件とを互いに関連付けて記憶する、請求項７に記載の画像形成装置。
【請求項９】
前記処理部は、画像形成部、画像保存部、又は画像送信部を含み、
前記所定処理は、第１処理、第２処理、又は第３処理を含み、
前記第１処理は、前記画像形成部がシートに前記第２画像を形成する処理を示し、
前記第２処理は、前記画像保存部が前記第２画像を前記記憶部に保存する処理を示し、
前記第３処理は、前記画像送信部が前記第２画像を外部装置に送信する処理を示す、請求項１から請求項８のいずれか１項に記載の画像形成装置。
【請求項１０】
前記条件は、前記シートの部数、前記シートのサイズ、又は前記第２画像の色を示す条件を含む、請求項９に記載の画像形成装置。
【発明の詳細な説明】
【技術分野】
【０００１】
本発明は、画像形成装置に関する。
【背景技術】
【０００２】
操作履歴を呼び出して再利用する画像形成装置が知られている。このような画像形成装置として、特許文献１に記載の画像形成装置は、画像形成装置に対して行われた操作の操作履歴を記憶手段にユーザー毎に記憶している。画像形成装置は、ユーザーが操作を行う際に、ユーザーを認証し、ユーザーによる操作を検知し、検知された操作を含む操作履歴を記憶手段から読み出して設定する。具体的には、画像形成装置は、ユーザーによってＡ４用紙の原稿がセットされたことを検知すると、過去にＡ４用紙の原稿を複写処理した際の操作履歴テーブルを記憶手段から抽出して表示する。特許文献１に記載の画像形成装置によれば、ユーザーは、操作履歴テーブルに含まれる操作履歴から所望の操作履歴を選択して画像形成装置に設定する。
【先行技術文献】
【特許文献】
【０００３】
【特許文献１】特開２００６−２２０９４０号公報
【発明の概要】
【発明が解決しようとする課題】
【０００４】
しかしながら、特許文献１に記載の画像形成装置では、複写対象である原稿のサイズに基づいて、同じサイズを示す過去の操作履歴を読み出して表示するため、使用頻度の多いサイズである場合、過去の操作履歴（条件）が十分に特定されずに大量に表示される可能性がある。すなわち、過去に用いた条件と同じ条件で特定の原稿に対して繰り返し所定処理を実行する際に、ユーザーは、表示された大量の条件の中から更に所望の条件を探し出して選択する必要があった。従って、過去に用いた条件と同じ条件で特定の原稿に対して繰り返し所定処理を実行する際に、条件を入力することが煩雑だった。
【０００５】
本発明は上記課題に鑑みてなされたものであり、過去に用いた条件と同じ条件で特定の原稿に対して繰り返し所定処理を実行する際に、条件を入力する煩雑さを軽減できる画像形成装置を提供することを目的とする。
【課題を解決するための手段】
【０００６】
本発明に係る画像形成装置は、記憶部と、入力部と、読取部と、判定部と、処理部とを備える。前記記憶部は、複数の互いに異なる第１画像と、所定処理のための複数の条件とをそれぞれ関連付けて記憶する。前記入力部は、前記所定処理を実行するための実行指示がユーザーの操作に応じて入力される。前記読取部は、前記実行指示に従い、原稿から第２画像を読み取る。前記判定部は、前記第２画像と前記第１画像とが一致するか否かを判定する。前記処理部は、前記所定処理を実行する。前記第２画像と前記第１画像とが一致すると判定された場合、前記処理部は、前記第１画像と関連付けられている前記条件に従い前記所定処理を実行する。
【発明の効果】
【０００７】
本発明の画像形成装置によれば、過去に用いた条件と同じ条件で特定の原稿に対して繰り返し所定処理を実行する際に、条件を入力する煩雑さを軽減できる。
【図面の簡単な説明】
【０００８】
【図１】本発明の実施形態に係る画像形成装置を示す構成図である。
【図２】本実施形態に係る画像形成装置を示す図である。
【図３】本実施形態に係る画像形成装置の表示部に表示される画像を示す図である。
【図４】本実施形態に係る画像形成装置の表示部に表示される画像を示す図である。
【図５】（ａ）〜（ｃ）は、本実施形態に係る画像形成装置の表示部に表示される画像を示す図である。
【図６】（ａ）〜（ｃ）は、本実施形態に係る画像形成装置の表示部に表示される画像を示す図である。
【図７】本実施形態に係る画像形成装置を示す構成図である。
【図８】本実施形態に係る画像形成装置が実行する動作を示すフローチャートである。
【図９】本実施形態に係る画像形成装置が実行する動作を示すフローチャートである。
【図１０】本実施形態に係る画像形成装置が実行する動作を示すフローチャートである。
【図１１】本実施形態に係る画像形成装置が実行する動作を示すフローチャートである。
【図１２】本実施形態に係る画像形成装置が実行する登録処理を示すフローチャートである。
【図１３】本実施形態に係る画像形成装置が実行する削除処理を示すフローチャートである。
【発明を実施するための形態】
【０００９】
以下、本発明の実施形態について、図面を参照しながら説明する。なお、図中、同一又は相当部分については同一の参照符号を付して説明を繰り返さない。
図１を参照して、本発明の実施形態に係る画像形成装置１００の構成を説明する。図１は、画像形成装置１００を示す構成図である。画像形成装置１００は、例えば、プリンター、又は複合機である。複合機は、例えば、複写機と、プリンターと、ファクシミリとの機能を兼ね備える。以下では、画像形成装置１００が電子写真方式のカラー複合機である実施形態について説明する。
【００１０】
図１に示すように、画像形成装置１００は、記憶部２０と、制御部１０と、入力部３０と、読取部４０と、処理部５０とを備える。
【００１１】
記憶部２０は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。記憶部２０は、各種のデータ、制御プログラム、及びアプリケーションプログラムを記憶する。各種のデータは、例えば、画像を示す画像データである。画像データは、例えば、第１画像データＤ１である。以下、「第１画像データ」を単に「第１画像」と記載することがある。制御プログラムは、画像形成装置１００の各部の動作を制御するためのプログラムであり、制御部１０によって実行される。
【００１２】
記憶部２０は、複数の第１画像Ｄ１と、複数の条件Ｊ１とをそれぞれ関連付けて記憶する。複数の第１画像Ｄ１は、互いに異なる。複数の第１画像Ｄ１は、例えば、第１画像Ｄ１１と、第１画像Ｄ１２とを含む。
【００１３】
条件Ｊ１は、所定処理のための条件である。詳細には、条件Ｊ１は、過去に特定の画像に対して所定処理を実行した際に、所定処理のための各項目に設定された条件の組合せを示す。複数の条件Ｊ１は、例えば、条件Ｊ１１と、条件Ｊ１２と、条件Ｊ１３とを含む。記憶部２０は、例えば、第１画像Ｄ１１と、条件Ｊ１１とを関連付けて記憶する。また、第１画像Ｄ１と関連付けられている条件Ｊ１は、複数であってもよい。例えば、記憶部２０は、第１画像Ｄ１２と、条件Ｊ１２と条件Ｊ１３とを関連付けて記憶する。なお、条件Ｊ１の詳細については、図５を参照して後述する。
【００１４】
制御部１０は、ＣＰＵ（Ｃｅｎｔｒａｌ  Ｐｒｏｃｅｓｓｉｎｇ  Ｕｎｉｔ）のようなプロセッサーを含むハードウェア回路である。制御部１０は、記憶部２０に記憶された制御プログラムをプロセッサーが読み出して実行することによって、画像形成装置１００の各部の動作を制御する。また、プロセッサーは、記憶部２０に記憶されたアプリケーションプログラムを読み出して実行する。
【００１５】
入力部３０は、例えば、タッチパネル機能と種々のハードウェアボタンとを有する操作パネルである。入力部３０には、ユーザーの操作に応じて各種の指示が入力される。例えば、入力部３０には、所定処理を実行するための実行指示がユーザーの操作に応じて入力される。
【００１６】
読取部４０は、コンタクトガラスと、スキャナー（光学系）とを含む。コンタクトガラスには原稿が載置され得る。読取部４０は、原稿の画像を読み取る。読取部４０は、読み取った画像から画像データを生成する。読み取った画像は、例えば、第２画像である。読取部４０は、実行指示に従い、原稿から第２画像を読み取って、第２画像データを生成する。以下、「第２画像データ」を単に「第２画像」と記載することがある。
【００１７】
処理部５０は、所定処理を実行する。処理部５０は、画像形成部５１と、画像保存部５２と、画像送信部５３とを含む。所定処理は、第１処理、第２処理、又は第３処理を含む。
【００１８】
第１処理は、画像形成部５１がシートに第２画像のような画像を形成する処理を示す。例えば、第１処理は、複写機能を実行する処理である。複写機能は、原稿の画像をシートに複写する機能を示す。
【００１９】
第２処理は、画像保存部５２が第２画像のような画像を記憶部２０に保存する処理を示す。例えば、第２処理は、ボックス保存機能を実行する処理である。ボックス保存機能は、原稿の画像を記憶部２０の所定領域にＰＤＦ（Ｐｏｒｔａｂｌｅ  Ｄｏｃｕｍｅｎｔ  Ｆｏｒｍａｔ）のようなファイルフォーマット形式で保存する機能を示す。
【００２０】
第３処理は、画像送信部５３が第２画像のような画像を外部装置に送信する処理を示す。例えば、第３処理は、ファクシミリ送信機能、又はＰＣ（Ｐｅｒｓｏｎａｌ  Ｃｏｍｐｕｔｅｒ）送信機能を実行する処理である。ファクシミリ送信機能は、外部ファクシミリ装置との間でファクシミリ通信を行い、原稿の画像を外部ファクシミリ装置へ送信する処理を示す。ＰＣ送信機能は、原稿の画像をＰＤＦのようなファイルフォーマット形式で外部装置へネットワークを介して送信する処理を示す。
【００２１】
制御部１０は、判定部１１を含む。判定部１１は、第２画像と第１画像Ｄ１とが一致するか否かを判定する。具体的には、判定部１１は、記憶部２０に記憶されている複数の第１画像Ｄ１の中から、第２画像と一致する第１画像Ｄ１を検索する。第２画像と第１画像Ｄ１とが一致するか否かを判定するためのアルゴリズムには、例えば、第２画像と第１画像Ｄ１との各種のマッチングが用いられる。各種のマッチングは、例えば、画像の特徴点に基づくマッチング、又は画像の領域に基づくマッチングである。
【００２２】
処理部５０は、第２画像と第１画像Ｄ１とが一致すると判定された場合、第１画像Ｄ１と関連付けられている条件Ｊ１に従い所定処理を実行する。第２画像と第１画像Ｄ１とが一致するため、第２画像と第１画像Ｄ１とは、同一又は略同一の原稿から読み取られた画像である蓋然性が高い。従って、第１画像Ｄ１と関連付けられている条件Ｊ１は、第２画像に対して所定処理を実行する際にもユーザーの所望する条件である蓋然性が高い。その結果、過去に用いた条件と同じ条件で特定の原稿に対して繰り返し所定処理を実行する際に、条件を入力する煩雑さを軽減できる。
【００２３】
さらに、図１を参照して説明したように、本実施形態によれば、処理部５０は、画像形成部５１、画像保存部５２、又は画像送信部５３を含むことが好ましい。所定処理のうち、第１処理、第２処理、又は第３処理を実行する場合、ユーザーは、特に詳細な条件で所定処理を実行することを所望することが多い。従って、ユーザーが過去に用いた条件と同じ条件で、特定の原稿Ｍに対して繰り返し第１処理、第２処理、又は第３処理を実行する際に、条件を入力する煩雑さを軽減できる。
【００２４】
なお、第２画像と第１画像Ｄ１とが一致しないと判定された場合、判定部１１は、第２画像に対する所定処理のための条件Ｊ１が入力部３０に入力されたか否かを判定してもよい。すなわち、過去に同様の特定の原稿Ｍに対して所定処理を実行した実績が無い場合、ユーザーは、第２画像に対する所定処理のための条件Ｊ１をあらためて入力部３０に入力できる。処理部５０は、条件Ｊ１が入力部３０に入力されたと判定された場合、入力された条件Ｊ１に従い所定処理を実行する。従って、過去に同様の特定の原稿Ｍについて所定処理を実行した実績がある限り条件を入力する煩雑さを軽減できるとともに、過去に同様の特定の原稿Ｍについて所定処理を実行した実績が無い場合には、所望の条件で所定処理を実行できる。その結果、特定の原稿Ｍについて所定処理を実行する際のユーザーの利便性を向上させることができる。
【００２５】
続いて、図１を参照しつつ、更に図２を参照して、画像形成装置１００の動作について説明する。図２は、画像形成装置１００を示す図である。図２に示すように、画像形成装置１００は、図１を参照して説明した記憶部２０と、制御部１０と、入力部３０と、読取部４０と、処理部５０とに加えて、表示部６０と、原稿搬送装置７０と、定着部８０と、給送部９０と、搬送部９１と、排出部９２とを備える。
【００２６】
表示部６０は、例えば、タッチパネル機能を有するディスプレーであり、操作パネルに配置される。タッチパネル機能を有する表示部６０は、入力部３０を兼ね得る。詳細には、表示部６０は、画面とタッチセンサーとを含み、各種の画像を画面に表示する。各種の画像は、例えば、ソフトウェアボタン、又は、各種の操作画面画像を示す。ディスプレーは、例えば、液晶ディスプレー、又は有機ＥＬディスプレー（Ｏｒｇａｎｉｃ  ＥｌｅｃｔｒｏＬｕｍｉｎｅｓｃｅｎｃｅ  ｄｉｓｐｌａｙ）である。
【００２７】
原稿搬送装置７０のトレイには、原稿Ｍが載置される。読取部４０は、所定処理の実行指示に従い原稿Ｍの画像を読み取る。読取部４０は、読み取った画像から画像データを生成する。読み取った画像は、例えば、第２画像である。
【００２８】
給送部９０は、給送ローラーを含む。給送部９０は、複数のシートＳを収容し、搬送部９１へ各シートＳを給送する。シートＳは、例えば、紙製又は合成樹脂製のシートである。搬送部９１は、複数の搬送ローラー対を含み、画像形成部５１にシートＳを搬送する。
【００２９】
画像形成部５１は、シートＳに画像を形成する。詳細には、画像形成部５１は、複数の画像形成部を含む。複数の画像形成部の各々は、感光体ドラムと、帯電装置と、露光装置と、現像装置と、補給装置と、転写装置と、クリーニング装置と、除電装置とを含む。画像形成部５１は、電子写真方式によってシートＳに原稿Ｍの画像を形成する。具体的には、複数の画像形成部のうちの１つは、シアン色のトナー像を形成する。複数の画像形成部のうちの１つは、マゼンタ色のトナー像を形成する。複数の画像形成部のうちの１つは、イエロー色のトナー像を形成する。複数の画像形成部のうちの１つは、ブラック色のトナー像を形成する。
【００３０】
定着部８０は、画像を加熱及び加圧してシートＳに画像を定着させる。例えば、画像は、第２画像である。
【００３１】
搬送部９１は、画像の定着されたシートＳを排出部９２に搬送する。また、搬送部９１は、定着部８０で画像が定着されたシートＳを画像形成部５１へ搬送してもよい。画像が定着されたシートＳを画像形成部５１へ搬送する処理は、スイッチバック処理とも呼ばれる。スイッチバック処理は、シートＳの１対の主面の各々に画像を形成する場合に実行される。排出部９２は、排出ローラー対を含み、画像形成装置１００の外部にシートＳを排出する。
【００３２】
また、入力部３０には、ユーザーを識別する識別情報が入力され得る。識別情報は、例えば、ユーザー名、ユーザー番号、又はパスワードである。記憶部２０は、識別情報と、複数の互いに異なる第１画像Ｄ１の各々と、複数の条件Ｊ１の各々とを関連付けて記憶する。処理部５０は、第２画像と第１画像Ｄ１とが一致すると判定された場合、識別情報と第１画像Ｄ１とに関連付けられている条件Ｊ１に従い、所定処理を実行する。従って、ユーザー毎に第１画像Ｄ１と、条件Ｊ１とを管理できる。その結果、過去に用いた条件と同じ条件で特定の原稿Ｍに対して繰り返し所定処理を実行する際に、各ユーザーの趣向を反映するとともに、条件を入力する煩雑さを軽減できる。
【００３３】
続いて、図２を参照しつつ、更に図３を参照して、所定処理を実行するための実行指示の詳細について説明する。図３は、表示部６０に表示される画像Ｇ１を示す図である。図３に示すように、画像Ｇ１は、ホーム画面を示す。
【００３４】
ホーム画面は、所定処理を実行するためのソフトウェアボタンを有する。所定処理を実行するためのソフトウェアボタンは、例えば、コピーボタンＧ１１、ボックス保存ボタンＧ１２、ファクシミリボタンＧ１３、及びＰＣ送信ボタンＧ１４である。コピーボタンＧ１１は、第１処理に対応しており、例えば、複写機能を実行するためのボタンである。ボックス保存ボタンＧ１２は、第２処理に対応しており、例えば、ボックス保存機能を実行するためのボタンである。ファクシミリボタンＧ１３は、第３処理に対応しており、例えば、ファクシミリ送信機能を実行するためのボタンである。ＰＣ送信ボタンＧ１４は、第３処理に対応しており、例えば、ＰＣ送信機能を実行するためのボタンである。
【００３５】
入力部３０には、所定処理を実行するための実行指示がユーザーの操作に応じて入力される。具体的には、ユーザーは、所望の所定処理を実行するために、コピーボタンＧ１１、ボックス保存ボタンＧ１２、ファクシミリボタンＧ１３、又はＰＣ送信ボタンＧ１４をタッチする。ユーザーのタッチ操作に応じて、読取部４０は、原稿Ｍの第２画像を読み取る。
【００３６】
続いて、図１〜図５を参照して、条件Ｊ１の詳細について説明する。図４は、表示部６０に表示される画像Ｇ２を示す図である。画像Ｇ２は、条件履歴画面を示す。第２画像と第１画像Ｄ１とが一致すると判定された場合、図４に示すように、表示部６０は、第１リストＬ１を表示する。第１リストＬ１は、第１画像Ｄ１と関連付けられている複数の条件Ｊ１を示す。すなわち、第１画像Ｄ１と関連付けられている条件Ｊ１が複数である場合に、第１リストＬ１は、複数の条件Ｊ１を、過去に第１画像Ｄ１に対して所定処理が実行された際に設定された条件の履歴情報として示す。
【００３７】
例えば、ユーザーがコピーボタンＧ１１（図３参照）をタッチすると、読取部４０は、原稿Ｍの第２画像を読み取る。判定部１１が第２画像と第１画像Ｄ１とが一致すると判定した場合、図４に示すように、表示部６０は、過去に第１画像Ｄ１に対して実行した第１処理に対応する条件履歴画面を表示する。条件履歴画面は、第１リストＬ１と、削除ボタンＧ２２とを含む。第１リストＬ１は、条件の履歴情報に対応する複数の詳細ボタンＧ２１を含む。条件の履歴情報は、複数の条件Ｊ１として、例えば、第１条件と、第２条件と、第３条件とを含む。削除ボタンＧ２２には、削除指示が入力される。削除指示は、複数の条件Ｊ１のうちの少なくとも１つの条件Ｊ１を記憶部２０から削除する指示を示す。なお、削除指示の詳細については、図６を参照して後述する。
【００３８】
判定部１１は、第１選択指示が入力部３０に入力されたか否かを判定する。第１選択指示は、第１リストＬ１から１つの条件を選択する指示である。処理部５０は、第１選択指示が入力部３０に入力されたと判定された場合、選択された条件Ｊ１に従い所定処理を実行する。第２画像と一致する第１画像Ｄ１と関連付けられている条件Ｊ１のみが第１リストＬ１として表示されるため、第１リストＬ１として抽出される条件Ｊ１の数を低減できる。従って、ユーザーには、表示された大量の条件の中から更に所望の条件を探し出して選択するような手間が生じない。その結果、過去に用いた条件と同じ条件で特定の原稿Ｍに対して繰り返し所定処理を実行する際に、ユーザーのニーズに応じて条件の選択可能性を向上させるとともに、条件を入力する煩雑さを軽減できる。
【００３９】
さらに、条件Ｊ１は、シートＳの部数、シートＳのサイズ、又は原稿Ｍの画像の色を示す条件を含むことが好ましい。シートＳの部数、シートＳのサイズ、又は原稿Ｍの画像の色のように、所定処理の実行時に特に詳細に規定され易い条件を第１画像Ｄ１と関連付けておくことにより、過去に用いた条件と同じ条件で特定の原稿Ｍに対して繰り返し所定処理を実行する際に、条件を入力する煩雑さを更に軽減できる。
【００４０】
例えば、ユーザーが第１条件に対応する詳細ボタンＧ２１をタッチすることによって入力部３０に第１選択指示を入力すると、処理部５０は、第１条件に従い第１処理を実行する。また、ユーザーが第２条件に対応する詳細ボタンＧ２１をタッチすることによって入力部３０に第１選択指示を入力すると、処理部５０は、第２条件に従い第１処理を実行する。また、ユーザーが第３条件に対応する詳細ボタンＧ２１をタッチすることによって入力部３０に第１選択指示を入力すると、処理部５０は、第３条件に従い第１処理を実行する。
【００４１】
また、図５（ａ）〜（ｃ）に示すように、表示部６０は、第１選択指示が入力部３０に入力されたと判定された場合、選択された条件Ｊ１の詳細を表示してもよい。図５（ａ）〜（ｃ）は、表示部６０に表示される画像Ｇ３、Ｇ３１、Ｇ３２、及びＧ３３を示す図である。画像Ｇ３、Ｇ３１、Ｇ３２、及びＧ３３は、プレビュー画面を示す。プレビュー画面は、選択された条件Ｊ１の詳細と、確定ボタンＧ３４とを含む。
【００４２】
判定部１１は、第１確定指示が入力部３０に入力されたか否かを判定する。第１確定指示は、選択された条件Ｊ１を確定する指示である。処理部５０は、第１確定指示が入力部３０に入力されたと判定された場合、確定された条件Ｊ１に従い所定処理を実行する。従って、ユーザーは、選択した条件Ｊ１の詳細を視認できる。そして、ユーザーの所望する条件Ｊ１が過去に同じ原稿Ｍに対して所定処理を実行した際の条件Ｊ１と同条件であることを確認して所定処理を実行できる。従って、特定の原稿Ｍに対して繰り返し所定処理を実行する際に、ユーザーの意図する条件と異なる条件で誤って所定処理を実行することを抑制できる。
【００４３】
例えば、ユーザーが第１条件に対応する詳細ボタンＧ２１をタッチすることによって入力部３０に第１選択指示を入力すると、図５（ａ）に示すように、表示部６０は、条件Ｊ１２の詳細を示すプレビュー画面を表示する。条件Ｊ１２は、例えば、「レターサイズ」の「５部」のシートＳに「白黒画像」の第２画像を形成する条件を示す。ユーザーが確定ボタンＧ３４をタッチすることによって第１確定指示を入力部３０に入力すると、処理部５０は、確定された第１条件に従い第１処理を実行する。
【００４４】
また、例えば、ユーザーが第２条件に対応する詳細ボタンＧ２１をタッチすることによって入力部３０に第１選択指示を入力すると、図５（ｂ）に示すように、表示部６０は、条件Ｊ１３の詳細を示すプレビュー画面を表示する。条件Ｊ１３は、例えば、「Ａ４サイズ」の「３部」のシートＳに第２画像を形成する条件を示す。ユーザーが確定ボタンＧ３４をタッチすることによって第１確定指示を入力部３０に入力すると、処理部５０は、確定された第２条件に従い第１処理を実行する。
【００４５】
また、例えば、ユーザーが第３条件に対応する詳細ボタンＧ２１をタッチすることによって入力部３０に第１選択指示を入力すると、図５（ｃ）に示すように、表示部６０は、条件Ｊ１４の詳細を示すプレビュー画面を表示する。条件Ｊ１４は、例えば、「Ａ４サイズ」のシートＳの「両面」に「カラー画像」の第２画像を形成する条件を示す。ユーザーが確定ボタンＧ３４をタッチすることによって第１確定指示を入力部３０に入力すると、処理部５０は、確定された第３条件に従い第１処理を実行する。
【００４６】
さらに、表示部６０は、第１選択指示が入力部３０に入力されたと判定された場合、選択された条件Ｊ１の詳細を表示するとともに、条件Ｊ１と関連付けられている第１画像Ｄ１を表示することが好ましい。例えば、表示部６０は、第１選択指示が入力部３０に入力されたと判定された場合、選択された条件Ｊ１の詳細と、条件Ｊ１と関連付けられている第１画像Ｄ１１のプレビュー画像とを一覧可能に表示する。ユーザーは、選択した条件Ｊ１とともに、選択した条件Ｊ１と関連付けられた第１画像Ｄ１を視認できる。従って、ユーザーの選択した条件Ｊ１が過去に同じ原稿Ｍに対して所定処理を実行した際の条件Ｊ１であることを容易かつ直感的に確認できる。
【００４７】
続いて、図１〜図６を参照して、条件Ｊ１の削除処理について説明する。図６は、表示部６０に表示される画像Ｇ４、Ｇ４１、Ｇ４２、及びＧ５を示す図である。
【００４８】
図６（ａ）に示すように、画像Ｇ４、Ｇ４１は、条件履歴の削除画面を示す。条件履歴画面（図４参照）において第１選択指示が入力部３０に入力されなかった場合、判定部１１は、削除指示が入力部３０に入力されたか否かを判定する。表示部６０は、削除指示が入力部３０に入力されたと判定された場合、第１画像Ｄ１と関連付けられている複数の条件Ｊ１を示す第２リストＬ２を表示する。具体的には、ユーザーが条件履歴画面において削除ボタンＧ２２をタッチすると、表示部６０は、画像Ｇ４１のように条件履歴の削除画面を表示する。条件履歴の削除画面は、第２リストＬ２と、戻るボタンＧ４１Ｋとを含む。第２リストＬ２は、条件の履歴情報に対応する複数の詳細ボタンＧ４１Ａを含む。判定部１１は、第２選択指示が入力部３０に入力されたか否かを判定する。第２選択指示は、第２リストＬ２から１つの条件を選択する指示である。戻るボタンＧ４１Ｋは、条件Ｊ１の削除処理をキャンセルして条件履歴画面に遷移するためのボタンである。
【００４９】
図６（ｂ）に示すように、画像Ｇ５は、条件履歴を削除するためのプレビュー画面を示す。表示部６０は、第２選択指示が入力部３０に入力されたと判定された場合、選択された条件Ｊ１の詳細を表示する。例えば、ユーザーが複数の詳細ボタンＧ４１Ａのうち第３条件に対応する詳細ボタンＧ４１Ａをタッチすると、表示部６０は、条件履歴を削除するためのプレビュー画面を表示する。条件履歴を削除するためのプレビュー画面は、選択された条件Ｊ１４の詳細と、第１画像Ｄ１のプレビュー画像と、削除ボタンＧ５１とを含む。
【００５０】
判定部１１は、第２確定指示が入力部３０に入力されたか否かを判定する。第２確定指示は、選択された条件Ｊ１を確定する指示である。具体的には、ユーザーは、削除ボタンＧ５１をタッチすることによって第２確定指示を入力部３０に入力する。
【００５１】
記憶部２０は、第２確定指示が入力部３０に入力されたと判定された場合、確定された条件Ｊ１を削除する。具体的には、ユーザーが削除ボタンＧ５１をタッチすると、確定された条件Ｊ１が記憶部２０から削除され、図６（ｃ）に示す画像Ｇ４２のように、第３条件に対応する詳細ボタンＧ４１Ａが条件履歴の削除画面から削除される。
【００５２】
以上、図１〜図６を参照して説明したように、本実施形態によれば、表示部６０は、削除指示が入力部３０に入力されたと判定された場合、第２リストＬ２を表示する。さらに表示部６０は、第２選択指示が入力部３０に入力されたと判定された場合、選択された条件の詳細を表示する。第２確定指示が入力部３０に入力されたと判定された場合、確定された条件Ｊ１が記憶部２０から削除される。従って、ユーザーにとって不要な条件Ｊ１を記憶部２０から削除できる。第１リストＬ１として抽出される条件Ｊ１の数を低減できるとともに、記憶部２０の容量を低減できる。
【００５３】
続いて、図１〜図６を参照しつつ、更に図７を参照して、第２画像Ｄ２の登録処理について説明する。図７は、画像形成装置１００を示す構成図である。図７に示すように、制御部１０は、図１及び図２を参照して説明した判定部１１に加えて、登録部１２と、カウンター１３とを更に含む。なお、図１〜図６を参照して説明した実施形態と同様の構成については、図の説明が冗長となることを避けるため、図の記載と説明とを省略することがある。
【００５４】
登録部１２は、第２画像Ｄ２を仮登録又は本登録する。詳細には、第２画像Ｄ２と第１画像Ｄ１とが一致しないと判定された場合、判定部１１は、第２画像Ｄ２に対する所定処理のための条件Ｊ１５が入力部３０に入力されたか否かを判定する。登録部１２は、条件Ｊ１５が入力部３０に入力されたと判定された場合、第２画像Ｄ２と、入力された条件Ｊ１５とを互いに関連付けて仮登録し得る。このとき、記憶部２０は、仮登録された第２画像Ｄ２と、条件Ｊ１５とを互いに関連付けて所定の領域に一時的に記憶し得る。なお、仮登録されている第２画像Ｄ２と条件Ｊ１５とは、所定期間が経過した場合に削除されてもよい。所定期間は、例えば、１週間、又は１ヵ月である。また、仮登録されている第２画像Ｄ２と条件Ｊ１５とは、画像形成装置１００の電源がＯＮ又はＯＦＦされるときに削除されてもよい。
【００５５】
カウンター１３は、読取部４０によって原稿Ｍから第２画像Ｄ２が読み取られた回数を計数する。詳細には、カウンター１３は、原稿Ｍから第２画像Ｄ２が読み取られた場合、計数値を１増加させる。計数値は、第２画像Ｄ２が読み取られた回数を示す。
【００５６】
また、判定部１１は、原稿Ｍから第２画像Ｄ２が読み取られた場合、原稿Ｍから読み取られた第２画像Ｄ２と、既に仮登録されている第２画像Ｄ２とが一致するか否かを判定し、判定結果をカウンター１３に送信してもよい。カウンター１３は、一致すると判定された場合に計数値を１増加させ、一致すると判定された場合に計数値を変更しない。
【００５７】
判定部１１は、第２画像Ｄ２の読み取られた回数が閾値以上か否かを判定する。すなわち、判定部１１は、原稿Ｍから第２画像Ｄ２が読み取られた場合に、累積された計数値が閾値以上か否かを判定する。
【００５８】
登録部１２は、第２画像Ｄ２の読み取られた回数が閾値以上である場合、互いに関連付けられて仮登録されている第２画像Ｄ２と条件Ｊ１５とを本登録する。例えば、閾値は、３回である。登録部１２は、例えば、計数値が２回である場合、互いに関連付けられて仮登録されている第２画像Ｄ２と条件Ｊ１５とを仮登録のまま維持する。一方、登録部１２は、例えば、計数値が３回である場合、互いに関連付けられて仮登録されている第２画像Ｄ２と条件Ｊ１５とを本登録する。
【００５９】
記憶部２０は、本登録された第２画像Ｄ２と条件Ｊ１５とを互いに関連付けて記憶する。このとき、本登録された第２画像Ｄ２と条件Ｊ１５とは、第１画像Ｄ１と条件Ｊ１５と同様に記憶部２０に記憶される。すなわち、判定部１１は、読取部４０が原稿Ｍから画像を読み取ると、第１画像Ｄ１と同様に、第２画像Ｄ２を検索対象として検索し得る。
【００６０】
以上、図１〜図７を参照して説明したように、本実施形態によれば、第２画像Ｄ２と第１画像Ｄ１とが一致しないと判定された場合、条件Ｊ１５が入力部３０に入力されると、登録部１２は、第２画像Ｄ２と、入力された条件Ｊ１５とを互いに関連付けて仮登録する。登録部１２は、第２画像Ｄ２の読み取られた回数が閾値以上である場合、互いに関連付けられて仮登録されている第２画像Ｄ２と条件Ｊ１５とを本登録する。すなわち、特定の原稿Ｍから画像が読み取られた回数に応じて、特定の原稿Ｍに対する所定処理を実行する条件を画像と関連付けて記憶する。従って、異なる様々な原稿Ｍを読み取る際に、読み取る頻度の多い原稿Ｍの画像を登録する利便性を向上させることができる。
【００６１】
続いて、図１〜図８を参照して、画像形成装置１００の動作を説明する。図８は、画像形成装置１００が実行する動作の一例を示すフローチャートである。ステップＳ１０１〜ステップＳ１１５が実行されることによって、画像形成装置１００は、各部の動作を実行する。具体的には、以下の通りである。
【００６２】
ステップＳ１０１において、記憶部２０は、複数の第１画像Ｄ１と、複数の条件Ｊ１とをそれぞれ関連付けて記憶する。処理は、ステップＳ１０３に進む。
【００６３】
次に、ステップＳ１０３において、判定部１１は、所定処理を実行するための実行指示が入力部３０に入力されたか否かを判定する。実行指示が入力された場合（ステップＳ１０３でＹｅｓ）に、処理はステップＳ１０５に進む。一方、実行指示が入力されていない場合（ステップＳ１０３でＮｏ）に、判定部１１は、入力部３０に実行指示が入力されるまでステップＳ１０３を繰り返す。
【００６４】
ステップＳ１０３でＹｅｓの場合に、ステップＳ１０５において、読取部４０は、原稿Ｍから第２画像Ｄ２を読み取る。処理は、ステップＳ１０７に進む。
【００６５】
次に、ステップＳ１０７において、判定部１１は、記憶部２０に記憶されている複数の第１画像Ｄ１の中から、第２画像Ｄ２と一致する第１画像Ｄ１を検索する。処理は、ステップＳ１０９に進む。
【００６６】
次に、ステップＳ１０９において、判定部１１は、第２画像Ｄ２と第１画像Ｄ１とが一致するか否かを判定する。一致する場合（ステップＳ１０９でＹｅｓ）に、処理はステップＳ１１１に進む。一方、一致しない場合（ステップＳ１０９でＮｏ）に、処理は、ステップＳ１１３に進む。
【００６７】
ステップＳ１０９でＹｅｓの場合に、ステップＳ１１１において、処理部５０は、第１画像Ｄ１と関連付けられている条件Ｊ１に従い、第２画像Ｄ２に対する所定処理を実行する。そして、処理は終了する。
【００６８】
ステップＳ１０９でＮｏの場合に、ステップＳ１１３において、画像形成装置１００は、第２画像Ｄ２の登録処理を実行する。処理は、ステップＳ１１５に進む。
【００６９】
次に、ステップＳ１１５において、処理部５０は、第２画像Ｄ２に対する所定処理を実行する。そして、処理は終了する。
【００７０】
続いて、図１〜図９を参照して、画像形成装置１００の動作を更に説明する。図９は、画像形成装置１００が実行する動作の一例を示すフローチャートである。ステップＳ２０１〜ステップＳ２１５が実行されることによって、画像形成装置１００は、ユーザーを識別する識別情報が記憶部２０に記憶されている場合における、各部の動作を実行する。具体的には、以下の通りである。
【００７１】
ステップＳ２０１において、記憶部２０は、識別情報と、複数の第１画像Ｄ１と、複数の条件Ｊ１とをそれぞれ関連付けて記憶する。処理は、ステップＳ２０３に進む。
【００７２】
ステップＳ２０３は、図８を参照して説明したステップＳ１０３に対応しており、同様の処理を実行する。実行指示が入力された場合（ステップＳ２０３でＹｅｓ）に、処理はステップＳ２０４に進む。一方、実行指示が入力されていない場合（ステップＳ２０３でＮｏ）に、判定部１１は、入力部３０に実行指示が入力されるまでステップＳ２０３を繰り返す。
【００７３】
次に、ステップＳ２０４において、入力部３０には、識別情報が入力される。処理は、ステップＳ２０５に進む。
【００７４】
ステップＳ２０５、ステップＳ２０７、ステップＳ２０９、ステップＳ２１３、及びステップＳ２１５は、それぞれ、図８を参照して説明したステップＳ１０５、ステップＳ１０７、ステップＳ１０９、ステップＳ１１３、及びステップＳ１１５に対応しており、同様の処理を実行する。ステップＳ２０９でＹｅｓの場合に、処理は、ステップＳ２１１に進む。
【００７５】
ステップＳ２０９でＹｅｓの場合に、ステップＳ２１１において、処理部５０は、識別情報と第１画像Ｄ１とに関連付けられている条件Ｊ１に従い、第２画像Ｄ２に対する所定処理を実行する。そして、処理は終了する。
【００７６】
続いて、図１〜図１１を参照して、画像形成装置１００の動作を更に説明する。図１０及び図１１は、画像形成装置１００が実行する動作の一例を示すフローチャートである。ステップＳ３０１〜ステップＳ３２７が実行されることによって、画像形成装置１００は、第１リストＬ１の表示処理を含む動作を実行する。具体的には、以下の通りである。
【００７７】
ステップＳ３０１、ステップＳ３０３、ステップＳ３０５、ステップＳ３０７、ステップＳ３０９、ステップＳ３１３、及びステップＳ３１５は、それぞれ、図８を参照して説明したステップＳ１０１、ステップＳ１０３、ステップＳ１０５、ステップＳ１０７、ステップＳ１０９、ステップＳ１１３、及びステップＳ１１５に対応しており、同様の処理を実行する。図１０に示すステップＳ３０９でＹｅｓの場合に、処理は、ステップＳ３１７に進む。
【００７８】
ステップＳ３０９でＹｅｓの場合に、ステップＳ３１７において、表示部６０は、第１リストＬ１を表示する。処理は、図１１に示すステップＳ３１９に進む。
【００７９】
次に、ステップＳ３１９において、判定部１１は、第１選択指示が入力部３０に入力されたか否かを判定する。第１選択指示が入力された場合（ステップＳ３１９でＹｅｓ）に、処理はステップＳ３２１に進む。一方、第１選択指示が入力されていない場合（ステップＳ３１９でＮｏ）に、処理は、ステップＳ３２５に進む。
【００８０】
ステップＳ３１９でＮｏの場合に、ステップＳ３２５において、画像形成装置１００は、条件Ｊ１の削除処理を実行する。処理は、ステップＳ３２７に進む。
【００８１】
次に、ステップＳ３２７において、条件Ｊ１５が入力部３０に入力される。処理は、ステップＳ３１５に進む。
【００８２】
ステップＳ３１９でＹｅｓの場合に、ステップＳ３２１において、表示部６０は、選択された条件Ｊ１の詳細を表示する。処理は、ステップＳ３２３に進む。
【００８３】
次に、ステップＳ３２３において、判定部１１は、第１確定指示が入力部３０に入力されたか否かを判定する。第１確定指示が入力された場合（ステップＳ３２３でＹｅｓ）に、処理はステップＳ３１１に進む。一方、第１確定指示が入力されていない場合（ステップＳ３２３でＮｏ）に、処理は、図１０に示すステップＳ３１７に進む。
【００８４】
ステップＳ３２３でＹｅｓの場合に、ステップＳ３１１において、処理部５０は、確定された条件Ｊ１に従い所定処理を実行する。そして、処理は終了する。
【００８５】
ここで、図１〜図１２を参照して、第２画像Ｄ２の登録処理の詳細について説明する。図１２は、画像形成装置１００が実行する登録処理の一例を示すフローチャートである。ステップＳ１１３１〜ステップＳ１１４１が実行されることによって、画像形成装置１００は、第２画像Ｄ２の登録処理を実行する。具体的には、以下の通りである。
【００８６】
ステップＳ１１３１において、判定部１１は、第２画像Ｄ２に対する所定処理のための条件Ｊ１５が入力部３０に入力されたか否かを判定する。条件Ｊ１５が入力された場合（ステップＳ１１３１でＹｅｓ）に、処理はステップＳ１１３３に進む。一方、条件Ｊ１５が入力されていない場合（ステップＳ１１３１でＮｏ）に、判定部１１は、入力部３０に条件Ｊ１５が入力されるまでステップＳ１１３１を繰り返す。
【００８７】
ステップＳ１１３１でＹｅｓの場合に、ステップＳ１１３３において、登録部１２は、第２画像Ｄ２と、入力された条件Ｊ１５とを互いに関連付けて仮登録する。処理は、ステップＳ１１３５に進む。
【００８８】
次に、ステップＳ１１３５において、カウンター１３は、第２画像Ｄ２が読み取られた回数を１増加させる。処理は、ステップＳ１１３７に進む。
【００８９】
次に、ステップＳ１１３７において、判定部１１は、第２画像Ｄ２の読み取られた回数が閾値以上か否かを判定する。閾値以上である場合（ステップＳ１１３７でＹｅｓ）に、処理はステップＳ１１３９に進む。一方、閾値以上でない場合（ステップＳ１１３７でＮｏ）に、登録処理は終了する。
【００９０】
ステップＳ１１３７でＹｅｓの場合に、ステップＳ１１３９において、登録部１２は、互いに関連付けられて仮登録されている第２画像Ｄ２と条件Ｊ１５とを本登録する。処理は、ステップＳ１１４１に進む。
【００９１】
次に、ステップＳ１１４１において、記憶部２０は、本登録された第２画像Ｄ２と条件Ｊ１５とを互いに関連付けて記憶する。そして、登録処理は終了する。
【００９２】
ここで、図１〜図１３を参照して、条件Ｊ１の削除処理の詳細について説明する。図１３は、画像形成装置１００が実行する削除処理の一例を示すフローチャートである。ステップＳ３２５１〜ステップＳ３２６１が実行されることによって、画像形成装置１００は、条件Ｊ１の削除処理を実行する。具体的には、以下の通りである。
【００９３】
ステップＳ３２５１において、判定部１１は、削除指示が入力部３０に入力されたか否かを判定する。削除指示が入力された場合（ステップＳ３２５１でＹｅｓ）に、処理はステップＳ３２５３に進む。一方、削除指示が入力されていない場合（ステップＳ３２５１でＮｏ）に、判定部１１は、入力部３０に削除指示が入力されるまでステップＳ３２５１を繰り返す。
【００９４】
ステップＳ３２５１でＹｅｓの場合に、ステップＳ３２５３において、表示部６０は、第２リストＬ２を表示する。処理は、ステップＳ３２５５に進む。
【００９５】
次に、ステップＳ３２５５において、判定部１１は、第２選択指示が入力部３０に入力されたか否かを判定する。第２選択指示が入力された場合（ステップＳ３２５５でＹｅｓ）に、処理はステップＳ３２５７に進む。一方、第２選択指示が入力されていない場合（ステップＳ３２５５でＮｏ）に、処理は、図１０に示すステップＳ３１７に進む。
【００９６】
ステップＳ３２５５でＹｅｓの場合に、ステップＳ３２５７において、表示部６０は、選択された条件Ｊ１の詳細を表示する。処理は、ステップＳ３２５９に進む。
【００９７】
次に、ステップＳ３２５９において、判定部１１は、第２確定指示が入力部３０に入力されたか否かを判定する。第２確定指示が入力された場合（ステップＳ３２５９でＹｅｓ）に、処理はステップＳ３２６１に進む。一方、第２確定指示が入力されていない場合（ステップＳ３２５９でＮｏ）に、処理は、ステップＳ３２５３に進む。
【００９８】
ステップＳ３２５９でＹｅｓの場合に、ステップＳ３２６１において、記憶部２０は、確定された条件Ｊ１を削除する。そして、削除処理は終了する。
【００９９】
以上、図面を参照しながら本発明の実施形態を説明した。但し、本発明は、上記の実施形態に限られるものではなく、その要旨を逸脱しない範囲で種々の態様において実施することが可能である。また、複数の実施形態の複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状等は一例であって、特に限定されるものではなく、本発明の構成から実質的に逸脱しない範囲で種々の変更が可能である。
【０１００】
（１）図１及び図２を参照して説明したように、画像形成装置１００は電子写真方式のカラー複合機であったが、本発明はこれに限られない。画像形成装置１００は、所定処理を実行可能な構成を備えていさえすればよい。画像形成装置１００は、例えば、ファクシミリ装置であってもよいし、インクジェット記録方式のモノクロプリンターであってもよい。画像形成装置１００がインクジェット記録方式のプリンターである実施形態において、画像形成部５１は、記録ヘッドを含み得る。
【０１０１】
（２）図８〜図１２を参照して説明したように、画像形成装置１００はステップＳ１１３で第２画像Ｄ２の登録処理を実行していたが、本発明はこれに限られない。例えば、画像形成装置１００は、図１２に示す登録処理のうちステップＳ１１３３〜ステップＳ１１４１の処理を省略してもよい。
【産業上の利用可能性】
【０１０２】
本発明は、画像形成装置の分野に利用可能である。
【符号の説明】
【０１０３】
１００  画像形成装置
１１    判定部
２０    記憶部
３０    入力部
４０    読取部
５０    処理部
Ｄ１、Ｄ１１、Ｄ１２    第１画像
Ｄ２    第２画像
Ｊ１、Ｊ１１、Ｊ１２、Ｊ１３、Ｊ１４    条件
Ｍ      原稿
【図１】
2020099029.tif 000003
【図２】
2020099029.tif 000004
【図３】
2020099029.tif 000005
【図４】
2020099029.tif 000006
【図５】
2020099029.tif 000007
【図６】
2020099029.tif 000008
【図７】
2020099029.tif 000009
【図８】
2020099029.tif 000010
【図９】
2020099029.tif 000011
【図１０】
2020099029.tif 000012
【図１１】
2020099029.tif 000013
【図１２】
2020099029.tif 000014
【図１３】
2020099029.tif 000015